(57)【特許請求の範囲】
【請求項１】
発振信号を生成する発振信号生成手段と、 
前記発振信号生成手段が生成した発振信号と入力された送信データとを互いに乗算して、前記送信データの周波数帯を所定の送信用周波数帯に遷移させる複数の送信用乗算手段と、 
前記発振信号生成手段が生成した発振信号と入力された受信データとを互いに乗算して、前記受信データの周波数帯を所定の処理用周波数帯に遷移させる複数の受信用乗算手段とを備え、 
前記複数の送信用乗算手段のそれぞれと、前記複数の受信用乗算手段のそれぞれとは、互いに一対一に対応し、 
前記複数の送信用乗算手段のそれぞれは、他の一の送信用乗算手段と一組をなし、 
前記複数の受信用乗算手段のそれぞれは、他の一の受信用乗算手段と一組をなし、 
前記発振信号生成手段は、 
一の送信用乗算手段及び前記他の一の送信用乗算手段に対応する前記他の一の受信用乗算手段に第一の発振信号を供給し、前記一の送信用乗算手段に対応する受信用乗算手段及び前記一の送信用乗算手段と一組をなす前記他の一の送信用乗算手段に前記第一の発振信号に対して正負が反転した第二の発振信号を供給する 
ことを特徴とする送受信用回路。 
【請求項２】
前記発振信号生成手段は、一の送信用乗算手段に入力された送信データの遷移後の送信用周波数帯と、前記一の送信用乗算手段と一組をなす前記他の一の送信用乗算手段に入力された送信データの遷移後の送信用周波数帯とが重複しないように、前記一の送信用乗算手段及び前記他の一の送信用乗算手段に対応する前記他の一の受信用乗算手段に第一の発振信号を供給し、前記一の送信用乗算手段に対応する前記受信用乗算手段及び前記一の送信用乗算手段と一組をなす前記他の一の送信用乗算手段に前記第二の発振信号を供給する 
請求項１に記載の送受信用回路。 
【請求項３】
前記発振信号生成手段は、一の送信用乗算手段に入力された送信データの遷移後の送信用周波数帯と、前記一の送信用乗算手段と一組をなす前記他の一の送信用乗算手段に入力された送信データの遷移後の送信用周波数帯とが零周波数を挟んで互いに対称になるように、一の送信用乗算手段に前記第一の発振信号を供給し、前記一の送信用乗算手段と一組をなす前記他の一の送信用乗算手段に前記第二の発振信号を供給する 
請求項１または請求項２に記載の送受信用回路。 
【請求項４】
前記発振信号生成手段は、一の送信用乗算手段に入力された送信データの遷移後の送信用周波数帯と、前記一の送信用乗算手段と一組をなす前記他の一の送信用乗算手段に入力された送信データの遷移後の送信用周波数帯とが、他の送信データの送信周波数帯を挟んで互いに対称になるように、一の送信用乗算手段に前記第一の発振信号を供給し、前記一の送信用乗算手段と一組をなす前記他の一の送信用乗算手段に前記第二の発振信号を供給する 
請求項１または請求項２に記載の送受信用回路。 
【請求項５】
前記発振信号生成手段は、前記一の送信用乗算手段及び前記他の一の送信用乗算手段に対応する前記他の一の受信用乗算手段に第一の発振信号を供給し、前記一の送信用乗算手段に対応する前記受信用乗算手段及び前記一の送信用乗算手段と一組をなす前記他の一の送信用乗算手段に前記第二の発振信号を供給して、各データの周波数を同じ量遷移させる 
請求項１から請求項４のうちいずれかに記載の送受信用回路。 
【請求項６】
発振信号を生成する発振信号生成ステップと、 
前記発振信号生成ステップで生成した発振信号と入力された送信データとを互いに乗算して、前記送信データの周波数帯を所定の送信用周波数帯に遷移させる複数の送信用乗算ステップと、 
前記発振信号生成ステップで生成した発振信号と入力された受信データとを互いに乗算して、前記受信データの周波数帯を所定の処理用周波数帯に遷移させる複数の受信用乗算ステップとを含み、 
前記複数の送信用乗算ステップのそれぞれと、前記複数の受信用乗算ステップのそれぞれとは、互いに一対一に対応し、 
前記複数の送信用乗算ステップのそれぞれは、他の一の送信用乗算ステップと一組をなし、 
前記複数の受信用乗算ステップのそれぞれは、他の一の受信用乗算ステップと一組をなし、 
前記発振信号生成ステップで、 
一の送信用乗算ステップ及び前記他の一の送信用乗算ステップに対応する前記他の一の受信用乗算ステップに第一の発振信号を提供し、前記一の送信用乗算ステップに対応する受信用乗算ステップ及び前記一の送信用乗算ステップと一組をなす前記他の一の送信用乗算ステップに前記第一の発振信号に対して正負が反転した第二の発振信号を提供する 
ことを特徴とするデータ送受信方法。 
【請求項７】
コンピュータに、 
発振信号を生成する発振信号生成処理と、 
前記発振信号生成処理で生成した発振信号と入力された送信データとを互いに乗算して、前記送信データの周波数帯を所定の送信用周波数帯に遷移させる複数の送信用乗算処理と、 
前記発振信号生成処理で生成した発振信号と入力された受信データとを互いに乗算して、前記受信データの周波数帯を所定の処理用周波数帯に遷移させる複数の受信用乗算処理とを実行させ、 
前記複数の送信用乗算処理のそれぞれと、前記複数の受信用乗算処理のそれぞれとは、互いに一対一に対応し、 
前記複数の送信用乗算処理のそれぞれは、他の一の送信用乗算処理と一組をなし、 
前記複数の受信用乗算処理のそれぞれは、他の一の受信用乗算処理と一組をなし、 
前記発振信号生成処理で、 
一の送信用乗算処理及び前記他の一の送信用乗算処理に対応する前記他の一の受信用乗算処理に第一の発振信号を提供し、前記一の送信用乗算処理に対応する受信用乗算処理及び前記一の送信用乗算処理と一組をなす前記他の一の送信用乗算処理に前記第一の発振信号に対して正負が反転した第二の発振信号を提供させる 
ためのデータ送受信用プログラム。
【発明の詳細な説明】
【技術分野】
【０００１】
本発明は、広帯域伝送を行う送受信回路、データ送受信方法、およびデータ送受信用プログラムに関する。
【背景技術】
【０００２】
ＬＴＥ（Ｌｏｎｇ  Ｔｅｒｍ  Ｅｖｏｌｕｔｉｏｎ）−Ａｄｖａｎｃｅｄでは、帯域幅が２０ＭＨｚであるＬＴＥコンポーネントキャリア（以下、コンポーネントキャリア（Ｃｏｍｐｏｎｅｎｔ  Ｃａｒｒｉｅｒ）を単にＣＣという）が複数用いられて、帯域幅が数百ＭＨｚになる広帯域伝送が実現される。
【０００３】
そして、そのような広帯域伝送を実現するためのＣＣの周波数配置方法として、移動通信用基地局無線装置において数値制御発振器（ＮＣＯ（Ｎｕｍｅｒｉｃａｌｌｙ  Ｃｏｎｔｒｏｌｌｅｄ  Ｏｓｃｉｌｌａｔｏｒ））を用いる方法がある。
【０００４】
非特許文献１には、ＮＣＯと複素乗算器であるミキサとが用いられて、周波数変換が行われる送受信回路が記載されている。非特許文献１に記載されている送受信回路では、周波数の所要シフト量に応じた数のＮＣＯが用いられる。
【０００５】
非特許文献２には、ＮＣＯの回路構成例が記載されている。
【０００６】
特許文献１には、正弦波出力の周波数設定高分解能および低スプリアスを、より少ない保持振幅データに基づいて実現する数値制御発振器が記載されている。
【先行技術文献】
【特許文献】
【０００７】
【特許文献１】特開２００４−１９３９９６号公報
【非特許文献】
【０００８】
【非特許文献１】「ディーユーシー／ディーディーシーコンパイラバージョン３．０（ＤＵＣ／ＤＤＣ  Ｃｏｍｐｉｌｅｒ  ｖ３．０）」、ロジックコアアイピープロダクトガイド（ＬｏｇｉＣＯＲＥ  ＩＰ  Ｐｒｏｄｕｃｔ  Ｇｕｉｄｅ）、ビバドデザインスイート（Ｖｉｖａｄｏ  Ｄｅｓｉｇｎ  Ｓｕｉｔｅ）、ピージー１４７（ＰＧ１４７）、ザイリンクス社（Ｘｉｌｉｎｘ，Ｉｎｃ．）、２０１４年１１月１９日
【非特許文献２】ゴペル  ディー  ギワラ（Ｇｏｐａｌ  Ｄ.  Ｇｈｉｗａｌａ）、ピナキン  ピー  タッカー（Ｐｉｎａｋｉｎ  Ｐ.  Ｔｈａｋｅｒ）、ギリージャ  ディー  アミン（Ｇｉｒｅｅｊａ  Ｄ.  Ａｍｉｎ）、「リアライゼーションオブエフピージーエーベイストニューメリカリーコントロールドオシレータ（Ｒｅａｌｉｚａｔｉｏｎ  ｏｆ  ＦＰＧＡ  ｂａｓｅｄ  ｎｕｍｅｒｉｃａｌｌｙ  Ｃｏｎｔｒｏｌｌｅｄ  Ｏｓｃｉｌｌａｔｏｒ）」、アイオーエスアールジャーナルオブブイエルエスアイアンドシグナルプロセッシング（ＩＯＳＲ  Ｊｏｕｒｎａｌ  ｏｆ  ＶＬＳＩ  ａｎｄ  Ｓｉｇｎａｌ  Ｐｒｏｃｅｓｓｉｎｇ（ＩＯＳＲ−ＪＶＳＰ））、ＩＳＳＮ：２３１９−４２００、ＩＳＢＮ  Ｎｏ.：２３１９−４１９７、Ｖｏｌｕｍｅ１、Ｉｓｓｕｅ５、ＰＰ．０７−１１、２０１３年１月〜２月
【発明の概要】
【発明が解決しようとする課題】
【０００９】
非特許文献１に記載されている方法や、特許文献１に記載されている発振器を用いて、前述したＬＴＥ−Ａｄｖａｎｃｅｄのように、帯域幅が数百ＭＨｚになる広帯域伝送を実現するためには、送信側と受信側とに、合計して例えば、１０（帯域幅が１００ＭＨｚであり、ＣＣが５個である場合）〜４０（帯域幅が４００ＭＨｚであり、ＣＣが２０個である場合）個のＮＣＯが必要である。
【００１０】
つまり、ＣＣの数×２個のＮＣＯが必要とされる。そうすると、広帯域伝送に要する消費電力が大きくなってしまうという問題がある。
【００１１】
そこで、本発明は、より少ない消費電力で、広帯域伝送を実現することができる送受信回路、データ送受信方法、およびデータ送受信用プログラムを提供することを目的とする。
【課題を解決するための手段】
【００１２】
本発明の送受信回路は、発振信号を生成する発振信号生成手段と、発振信号生成手段が生成した発振信号と入力された送信データとを互いに乗算して、送信データの周波数帯を所定の送信用周波数帯に遷移させる複数の送信用乗算手段と、発振信号生成手段が生成した発振信号と入力された受信データとを互いに乗算して、受信データの周波数帯を所定の処理用周波数帯に遷移させる複数の受信用乗算手段とを備え、複数の送信用乗算手段のそれぞれと、複数の受信用乗算手段のそれぞれとは、互いに一対一に対応し、複数の送信用乗算手段のそれぞれは、他の一の送信用乗算手段と一組をなし、複数の受信用乗算手段のそれぞれは、他の一の受信用乗算手段と一組をなし、発振信号生成手段は、一の送信用乗算手段と、一の送信用乗算手段に対応する受信用乗算手段と、一の送信用乗算手段と一組をなす他の一の送信用乗算手段と、他の一の送信用乗算手段に対応する他の一の受信用乗算手段とに、互いに正負が反転した発振信号をそれぞれ供給することを特徴とする。
【００１３】
本発明によるデータ送受信方法は、発振信号を生成する発振信号生成ステップと、発振信号生成ステップで生成した発振信号と入力された送信データとを互いに乗算して、送信データの周波数帯を所定の送信用周波数帯に遷移させる複数の送信用乗算ステップと、発振信号生成ステップで生成した発振信号と入力された受信データとを互いに乗算して、受信データの周波数帯を所定の処理用周波数帯に遷移させる複数の受信用乗算ステップとを含み、複数の送信用乗算ステップのそれぞれと、複数の受信用乗算ステップのそれぞれとは、互いに一対一に対応し、複数の送信用乗算ステップのそれぞれは、他の一の送信用乗算ステップと一組をなし、複数の受信用乗算ステップのそれぞれは、他の一の受信用乗算ステップと一組をなし、発振信号生成ステップで、一の送信用乗算ステップと、一の送信用乗算ステップに対応する受信用乗算ステップと、一の送信用乗算ステップと一組をなす他の一の送信用乗算ステップと、他の一の送信用乗算ステップに対応する他の一の受信用乗算ステップとに、互いに正負が反転した発振信号をそれぞれ提供することを特徴とする。
【００１４】
本発明によるデータ送受信用プログラムは、コンピュータに、発振信号を生成する発振信号生成処理と、発振信号生成処理で生成した発振信号と入力された送信データとを互いに乗算して、送信データの周波数帯を所定の送信用周波数帯に遷移させる複数の送信用乗算処理と、発振信号生成処理で生成した発振信号と入力された受信データとを互いに乗算して、受信データの周波数帯を所定の処理用周波数帯に遷移させる複数の受信用乗算処理とを実行させ、複数の送信用乗算処理のそれぞれと、複数の受信用乗算処理のそれぞれとは、互いに一対一に対応し、複数の送信用乗算処理のそれぞれは、他の一の送信用乗算処理と一組をなし、複数の受信用乗算処理のそれぞれは、他の一の受信用乗算処理と一組をなし、発振信号生成処理で、一の送信用乗算処理と、一の送信用乗算処理に対応する受信用乗算処理と、一の送信用乗算処理と一組をなす他の一の送信用乗算処理と、他の一の送信用乗算処理に対応する他の一の受信用乗算処理とに、互いに正負が反転した発振信号をそれぞれ提供させることを特徴とする。
【発明の効果】
【００１５】
本発明によれば、より少ない消費電力で、広帯域伝送を実現することができる。
【図面の簡単な説明】
【００１６】
【図１】本発明の第１の実施形態の送受信回路の構成例を示すブロック図である。
【図２】共通ＮＣＯ部の構成例を示すブロック図である。
【図３】送信複素乗算部および受信複素乗算部の処理による周波数帯の変化を示す説明図である。
【図４】本発明の第１の実施形態の送受信回路における送信処理部の動作を示すフローチャートである。
【図５】本発明の第１の実施形態の送受信回路における受信処理部の動作を示すフローチャートである。
【図６】本発明の第２の実施形態の送受信回路の構成例を示すブロック図である。
【図７】第１の共通ＮＣＯ部の構成例を示すブロック図である。
【図８】第２の共通ＮＣＯ部の構成例を示すブロック図である。
【図９】送信複素乗算部および受信複素乗算部の処理による周波数帯の変化を示す説明図である。
【図１０】一の送信処理部が、送信データの周波数帯を遷移させず、その余の送信処理部が、送信データの周波数帯を遷移させる変形例を示す説明図である。
【図１１】本発明の第３の実施形態の送受信用回路の構成例を示すブロック図である。
【発明を実施するための形態】
【００１７】
実施形態１．
本発明の第１の実施形態の送受信回路について、図面を参照して説明する。本発明の第１の実施形態の送受信回路は、例えば、ＬＴＥ−Ａｄｖａｎｃｅｄの規格に基づいて携帯通信端末と情報を送受信する無線基地局に設置される。
【００１８】
図１は、本発明の第１の実施形態の送受信回路の構成例を示すブロック図である。図１に示すように本発明の第１の実施形態の送受信回路は、送信部２００と受信部８００とを含む。
【００１９】
なお、送信部２００と受信部８００とは、例えば、プログラム制御に従って処理を実行するＣＰＵ（Ｃｅｎｔｒａｌ  Ｐｒｏｃｅｓｓｉｎｇ  Ｕｎｉｔ）や通信モジュール等の単数または複数の回路によって実現される。
【００２０】
図１に示すように、送信部２００と受信部８００とは、基地局制御装置（図示せず）に接続されたＣＰＲＩ（Ｃｏｍｍｏｎ  Ｐｕｂｌｉｃ  Ｒａｄｉｏ  Ｉｎｔｅｒｆａｃｅ）対応処理部１００に接続されている。
【００２１】
また、送信部２００は、キャリア合成部３００、送信信号処理部４００、およびダイレクトコンバージョン送信部５０１を介して、アンテナ（図示せず）に接続されている。
【００２２】
受信部８００は、受信信号処理部７００、およびダイレクトコンバージョン受信部６０１を介してアンテナに接続されている。
【００２３】
そして、送信部２００は、第１〜第ｎの送信処理部２１０−１〜２１０−ｎを含む。第１〜第ｎの送信処理部２１０−１〜２１０−ｎは、それぞれ、送信帯域制限処理およびレート変換処理部２１１−１〜２１１−ｎと、送信複素乗算部２１２−１〜２１２−ｎとを含む。また、第１〜第ｎの送信処理部２１０−１〜２１０−ｎのうち、ｎが奇数である送信処理部２１０は、さらに、共通ＮＣＯ部２３０を含む。
【００２４】
送信帯域制限処理およびレート変換処理部２１１−１〜２１１−ｎは、それぞれ、ＣＰＲＩ対応処理部１００に接続されている。送信複素乗算部２１２−１〜２１２−ｎは、それぞれ、送信帯域制限処理およびレート変換処理部２１１−１〜２１１−ｎ、共通ＮＣＯ部２３０、およびキャリア合成部３００に接続されている。なお、図１に示す例では、送信複素乗算部２１２−１〜２１２−２は、第１の送信処理部２１０−１に含まれている共通ＮＣＯ部２３０が接続されている。そして、送信複素乗算部２１２−１と送信複素乗算部２１２−２とで一組をなしている。
【００２５】
また、受信部８００は、第１〜第ｎの受信処理部８１０−１〜８１０−ｎを含む。第１〜第ｎの受信処理部８１０−１〜８１０−ｎは、それぞれ、受信レート変換処理および帯域制限処理部８１１−１〜８１１−ｎと、受信複素乗算部８１２−１〜８１２−ｎとを含む。
【００２６】
なお、第１〜第ｎの送信処理部２１０−１〜２１０−ｎと、第１〜第ｎの受信処理部８１０−１〜８１０−ｎとは互いに一対一に対応しているとする。
【００２７】
受信レート変換処理および帯域制限処理部８１１−１〜８１１−ｎは、それぞれ、ＣＰＲＩ対応処理部１００に接続されている。受信複素乗算部８１２−１〜８１２−ｎは、それぞれ、受信レート変換処理および帯域制限処理部８１１−１〜８１１−ｎ、および共通ＮＣＯ部２３０に接続されている。なお、図１に示す例では、受信複素乗算部８１２−１〜８１２−２は、第１の送信処理部２１０−１に含まれている共通ＮＣＯ部２３０に接続されている。そして、受信複素乗算部８１２−１と受信複素乗算部８１２−２とで一組をなしている。
【００２８】
ＣＰＲＩ対応処理部１００は、基地局制御装置と基地局無線装置との間の接続についてのＣＰＲＩ規格に基づくインタフェース処理を行う。
【００２９】
送信帯域制限処理およびレート変換処理部２１１−１〜２１１−ｎは、それぞれ、ＣＰＲＩ対応処理部１００から入力されたＬＴＥ信号に、帯域制限処理およびデータレート変換処理を施す。そして、送信帯域制限処理およびレート変換処理部２１１−１〜２１１−ｎは、送信複素乗算部２１２−１〜２１２−ｎに、帯域制限処理およびデータレート変換処理がＬＴＥ信号に施された送信データをそれぞれ入力する。
【００３０】
送信複素乗算部２１２−１〜２１２−ｎは、それぞれ、送信帯域制限処理およびレート変換処理部２１１−１〜２１１−ｎが入力した送信データと、共通ＮＣＯ部２３０が入力した発振信号とを複素乗算することで送信データを所定の送信用周波数帯に周波数変換する。そして、送信複素乗算部２１２−１〜２１２−ｎは、周波数変換後の送信データをキャリア合成部３００に入力する。なお、送信複素乗算部２１２−１〜２１２−ｎにおける処理については後述する。
【００３１】
キャリア合成部３００は、第１〜第ｎの送信処理部２１０−１〜２１０−ｎの送信複素乗算部２１２−１〜２１２−ｎが入力した周波数変換後の送信データを互いに加算するキャリア合成を行う。そして、キャリア合成部３００は、キャリア合成後の送信データを送信信号処理部４００に入力する。
【００３２】
送信信号処理部４００は、キャリア合成後の送信データに、ピーク抑圧や歪補償等の信号処理とディジタル―アナログ（Ｄｉｇｉｔａｌ  ｔｏ  Ａｎａｌｏｇ）変換の処理とを施す。そして、送信信号処理部４００は、それぞれの処理が施されて送信データがアナログ信号に変換された送信信号をダイレクトコンバージョン送信部５０１に入力する。
【００３３】
ダイレクトコンバージョン送信部５０１は、送信信号処理部４００が入力した送信信号をＲＦ（Ｒａｄｉｏ  Ｆｒｅｑｕｅｎｃｙ）周波数まで直接にアップコンバートし、アップコンバート後の送信信号をアンテナに入力する。アンテナに入力された送信信号は、送信波に変換されて送信される。
【００３４】
また、ダイレクトコンバージョン受信部６０１は、アンテナによって受信されて入力された受信信号を零周波数まで直接にダウンコンバートする。そして、ダイレクトコンバージョン受信部６０１は、ダウンコンバート後の受信信号を受信信号処理部７００に入力する。
【００３５】
受信信号処理部７００は、ダイレクトコンバージョン受信部６０１が入力した受信信号にアナログ―ディジタル（Ａｎａｌｏｇ  ｔｏ  Ｄｉｇｉｔａｌ）変換を施す。そして、受信信号処理部７００は、受信信号をディジタル信号に変換した受信データを、第１〜第ｎの受信処理部８１０−１〜８１０−ｎの受信複素乗算部８１２−１〜８１２−ｎにそれぞれ入力する。
【００３６】
受信複素乗算部８１２−１〜８１２−ｎは、受信信号処理部７００が入力した受信データと、共通ＮＣＯ部２３０が入力した発振信号とを複素乗算することで受信データを所定の処理用周波数帯に周波数変換する。なお、受信複素乗算部８１２−１〜８１２−ｎにおける処理については後述する。そして、受信複素乗算部８１２−１〜８１２−ｎは、周波数変換後の受信データを、受信レート変換処理および帯域制限処理部８１１−１〜８１１−ｎにそれぞれ入力する。
【００３７】
受信レート変換処理および帯域制限処理部８１１−１〜８１１−ｎは、それぞれ、受信複素乗算部８１２−１〜８１２−ｎが入力した受信データに、データレート変換処理および帯域制限処理を施す。そして、受信レート変換処理および帯域制限処理部８１１−１〜８１１−ｎは、データレート変換処理および帯域制限処理を施した受信データをＣＰＲＩ対応処理部１００に入力する。
【００３８】
図２は、共通ＮＣＯ部２３０の構成例を示すブロック図である。図２に示すように、共通ＮＣＯ部２３０は、ＮＣＯ部２３１および信号反転部２３２を含む。
【００３９】
ＮＣＯ部２３１は、例えば、一般的な数値制御発振器によって実現される。
【００４０】
ＮＣＯ部２３１には、周波数シフト設定値が入力される。本例では、ＮＣＯ部２３１には、周波数シフト設定値としてａ［Ｈｚ］を示す設定情報が入力される。すると、ＮＣＯ部２３１は、入力された設定情報に応じて、ｃｏｓ（２πａｔ）＋ｊｓｉｎ（２πａｔ）で表される発振信号を生成する。
【００４１】
ＮＣＯ部２３１は、生成した発振信号のうち、ｃｏｓ項の成分であるｃｏｓ（２πａｔ）を、例えば、送信複素乗算部２１２−１，２１２−２および受信複素乗算部８１２−１，８１２−２に入力する。また、ＮＣＯ部２３１は、生成した発振信号のうち、ｓｉｎ項の成分であるｓｉｎ（２πａｔ）を、送信複素乗算部２１２−１、受信複素乗算部８１２−２、および信号反転部２３２に入力する。
【００４２】
信号反転部２３２には、発振信号のうち、ｓｉｎ項の成分であるｓｉｎ（２πａｔ）で表される正弦波信号が入力される。そして、信号反転部２３２は、入力された正弦波信号の正負を反転させ、−ｓｉｎ（２πａｔ）で表される正弦波信号を生成する。そして、信号反転部２３２は、生成した−ｓｉｎ（２πａｔ）で表される正弦波信号を、送信複素乗算部２１２−２および受信複素乗算部８１２−１に入力する。
【００４３】
本例では、例えば、信号反転部２３２に、２の補数で表される正弦波信号が入力される。そして、信号反転部２３２は、入力された正弦波信号における全ビットを反転して後に１を加算する処理を行う。
【００４４】
図３は、送信複素乗算部２１２−１〜２１２−ｎおよび受信複素乗算部８１２−１〜８１２−ｎの処理による周波数帯の変化を示す説明図である。
【００４５】
図３の上側には、例として、送信複素乗算部２１２−１，２１２−２の処理による送信データの周波数帯の変化がそれぞれ示されている。また、図３の下側には、例として、受信複素乗算部８１２−１，８１２−２の処理による受信データの周波数帯の変化が示されている。
【００４６】
送信複素乗算部２１２−１は、ＮＣＯ部２３１によって入力された、ｃｏｓ（２πａｔ）＋ｊｓｉｎ（２πａｔ）で表される複素正弦波信号と、送信帯域制限処理およびレート変換処理部２１１−１によって入力された送信データとを互いに乗算する。すると、送信帯域制限処理およびレート変換処理部２１１−１によって入力された送信データは、＋ａ［Ｈｚ］遷移する。したがって、第１のＣＣ（図３において、ＣＣ＃１と示す）は、中心周波数が零周波数から＋ａ［Ｈｚ］遷移した周波数帯に配置される。
【００４７】
ここで、ＮＣＯ部２３１と信号反転部２３２とが送信複素乗算部２１２−２および受信複素乗算部８１２−１に入力した複素正弦波信号を示すｃｏｓ（２πａｔ）−ｊｓｉｎ（２πａｔ）＝ｃｏｓ（−２πａｔ）＋ｊｓｉｎ（−２πａｔ）である。
【００４８】
そして、送信複素乗算部２１２−２は、ＮＣＯ部２３１と信号反転部２３２とによって入力された、ｃｏｓ（−２πａｔ）＋ｊｓｉｎ（−２πａｔ）で表される複素正弦波信号と、送信帯域制限処理およびレート変換処理部２１１−２によって入力された送信データとを互いに乗算する。すると、送信帯域制限処理およびレート変換処理部２１１−２によって入力された送信データは、−ａ［Ｈｚ］遷移する。したがって、第２のＣＣ（図３において、ＣＣ＃２と示す）は、中心周波数が零周波数から−ａ［Ｈｚ］遷移した周波数帯に配置される。
【００４９】
したがって、図３の上側に示すように、第１の送信処理部２１０−１における送信データの周波数帯と第２の送信処理部２１０−２における送信データの周波数帯とは、零周波数を挟んで対称に配置される。
【００５０】
また、図３の下側に示すように、第１の受信処理部８１０−１の受信複素乗算部８１２−１には、受信信号処理部７００から、＋ａ［Ｈｚ］遷移した形で受信対象の第１のＣＣの受信データが入力される。そして、第２の受信処理部８１０−２の受信複素乗算部８１２−２には、受信信号処理部７００から、−ａ［Ｈｚ］遷移した形で受信対象の第２のＣＣの受信データが入力される。したがって、図３の下側に示すように、第１の受信処理部８１０−１が受信対象とする受信データの周波数帯と第２の受信処理部８１０−２が受信対象とする受信データの周波数帯とは、零周波数を挟んで対称に配置されている。
【００５１】
受信複素乗算部８１２−１は、ＮＣＯ部２３１と信号反転部２３２とによって入力された、ｃｏｓ（−２πａｔ）＋ｊｓｉｎ（−２πａｔ）で表される複素正弦波信号と、受信信号処理部７００によって入力された受信データとを互いに乗算する。すると、受信信号処理部７００によって入力された受信データは、−ａ［Ｈｚ］遷移される。したがって、第１のＣＣは、受信時に、中心周波数が＋ａ［Ｈｚ］偏移した周波数帯から零周波数を中心周波数とする周波数帯に−ａ［Ｈｚ］遷移する。
【００５２】
よって、受信複素乗算部８１２−１は、受信信号処理部７００によって入力された受信データの周波数帯を、零周波数を中心とした範囲に遷移させる。そして、受信複素乗算部８１２−１は、遷移後の受信データを受信レート変換処理およびレート変換処理部８１１−１に入力する。受信レート変換処理およびレート変換処理部８１１−１は、受信複素乗算部８１２−１によって受信対象のＣＣが零周波数を中心とした範囲に遷移された受信データに対してレート変換処理と帯域制限処理とを行い、ＣＰＲＩ対応処理部１００に入力する。
【００５３】
また、受信複素乗算部８１２−２は、ＮＣＯ部２３１によって入力された、ｃｏｓ（２πａｔ）＋ｊｓｉｎ（２πａｔ）で表される複素正弦波信号と、受信信号処理部７００によって入力された受信データとを互いに乗算する。すると、受信信号処理部７００によって入力された受信データは、＋ａ［Ｈｚ］遷移される。したがって、第２のＣＣは、受信時に、中心周波数が−ａ［Ｈｚ］偏移した周波数帯から零周波数を中心周波数とする周波数帯に＋ａ［Ｈｚ］遷移する。
【００５４】
よって、受信複素乗算部８１２−２は、受信信号処理部７００によって入力された受信データの周波数帯を、零周波数を中心とした範囲に遷移させる。そして、受信複素乗算部８１２−２は、遷移後の受信データを受信レート変換処理およびレート変換処理部８１１−２に入力する。受信レート変換処理およびレート変換処理部８１１−２は、受信複素乗算部８１２−２によって受信対象のＣＣが零周波数を中心とした範囲に遷移された受信データに対してレート変換処理と帯域制限処理とを行い、ＣＰＲＩ対応処理部１００に入力する。
【００５５】
なお、図３に示すように、互いに対応する送信処理部２１０と受信処理部８１０とは、データを遷移させる周波数の正負が互いに反転している。具体的には、送信処理部２１０−１の送信複素乗算部２１２−１が送信データを遷移させる周波数（＋ａ［Ｈｚ］）と、受信処理部８１０−１の受信複素乗算部８１２−１が受信データを遷移させる周波数（−ａ［Ｈｚ］）とは、正負が互いに反転している。また、送信処理部２１０−２の送信複素乗算部２１２−２が送信データを遷移させる周波数（−ａ［Ｈｚ］）と、受信処理部８１０−２の受信複素乗算部８１２−２が受信データを遷移させる周波数（＋ａ［Ｈｚ］）とは、正負が互いに反転している。
【００５６】
図３に示す例では、第１の送信処理部２１０−１の共通ＮＣＯ部２３０のＮＣＯ部２３１には、ａ［Ｈｚ］を示す周波数シフト設定値が入力されて、送信データの周波数と受信データの周波数との遷移量がａ［Ｈｚ］になるように、発振信号が生成されて各複素乗算部に入力されるとする。
【００５７】
また、前述したように、第１〜第ｎの送信処理部２１０−１〜２１０−ｎのうち、ｎが奇数である送信処理部２１０には、共通ＮＣＯ部２３０が含まれるので、第３の送信処理部２１０−３にも、共通ＮＣＯ部２３０が含まれる。第３の送信処理部２１０−３の共通ＮＣＯ部２３０のＮＣＯ部２３１には、例えばａ×３［Ｈｚ］を示す周波数シフト設定値が入力されて、第３〜第４の送信処理部２１０−３〜２１０−４における送信データの周波数と第３〜第４の受信処理部８１０−３〜８１０−４における受信データの周波数との遷移量はａ×３［Ｈｚ］である。そして、送信複素乗算部２１２−３と送信複素乗算部２１２−４とで一組をなしている。また、受信複素乗算部８１２−３と受信複素乗算部８１２−４とで一組をなしている。
【００５８】
さらに、第５の送信処理部２１０−５にも、共通ＮＣＯ部２３０が含まれる。第５の送信処理部２１０−５の共通ＮＣＯ部２３０のＮＣＯ部２３１には、例えばａ×５［Ｈｚ］を示す周波数シフト設定値が入力されて、第５〜第６の送信処理部２１０−５〜２１０−６における送信データの周波数と第５〜第６の受信処理部８１０−５〜８１０−６における受信データの周波数との遷移量はａ×５［Ｈｚ］である。そして、送信複素乗算部２１２−５と送信複素乗算部２１２−６とで一組をなしている。また、受信複素乗算部８１２−５と受信複素乗算部８１２−６とで一組をなしている。
【００５９】
同様に、第７〜第ｎの送信処理部２１０−７〜２１０−ｎのうち、奇数番目の送信処理部２１０−ｍ（ｍ：奇数）には、例えばａ×ｍ［Ｈｚ］を示す周波数シフト設定値が入力されて、第ｍ〜第ｍ＋１の送信処理部２１０−ｍ〜２１０−ｍ＋１における送信データの周波数と第ｍ〜第ｍ＋１の受信処理部８１０−ｍ〜８１０−ｍ＋１における受信データの周波数との遷移量はａ×ｍ［Ｈｚ］である。そして、送信複素乗算部２１２−ｍと送信複素乗算部２１２−ｍ＋１とで一組をなしている。また、受信複素乗算部８１２−ｍと受信複素乗算部８１２−ｍ＋１とで一組をなしている。
【００６０】
次に、本発明の第１の実施形態の送受信回路の動作について説明する。図４は、本発明の第１の実施形態の送受信回路における送信処理部２１０の動作を示すフローチャートである。
【００６１】
図４に示すように、送信帯域制限処理およびレート変換処理部２１１−１〜２１１−ｎは、それぞれ、ＣＰＲＩ対応処理部１００から入力されたＬＴＥ信号に、帯域制限処理およびデータレート変換処理を施す（ステップＳ１０１）。
【００６２】
送信複素乗算部２１２−１〜２１２−ｎは、それぞれ、送信帯域制限処理およびレート変換処理部２１１−１〜２１１−ｎが入力した送信データと、共通ＮＣＯ部２３０が入力した発振信号とを複素乗算することで送信データを周波数変換する（ステップＳ１０２）。つまり、送信複素乗算部２１２−１〜２１２−ｎは、ステップＳ１０２の処理で、送信データの周波数帯を遷移させる。
【００６３】
すると、図３の上段に示すように、送信データは、＋ａ［Ｈｚ］または−ａ［Ｈｚ］遷移する。
【００６４】
図５は、本発明の第１の実施形態の送受信回路における受信処理部８１０の動作を示すフローチャートである。
【００６５】
図５に示すように、受信複素乗算部８１２−１〜８１２−ｎは、受信信号処理部７００が入力した受信データと、共通ＮＣＯ部２３０が入力した発振信号とを複素乗算することで受信データを周波数変換する（ステップＳ２０１）。つまり、受信複素乗算部８１２−１〜８１２−ｎは、ステップＳ２０１の処理で、受信データの周波数帯を遷移させる。
【００６６】
受信レート変換処理および帯域制限処理部８１１−１〜８１１−ｎは、それぞれ、受信複素乗算部８１２−１〜８１２−ｎが入力した受信データに、データレート変換処理および帯域制限処理を施す（ステップＳ２０２）。
【００６７】
すると、図３の下段に示すように、送信データは、−ａ［Ｈｚ］または＋ａ［Ｈｚ］遷移する。
【００６８】
本実施形態によれば、共通ＮＣＯ部２３０が、入力された設定情報に応じて、送信データおよび受信データに乗算される発振信号を生成する。そして、送信複素乗算部２１２が、当該発振信号と送信データとを互いに乗算して、当該送信データの周波数を設定情報に応じて遷移させる。また、受信複素乗算部８１２が、当該発振信号と受信データとを互いに乗算して、当該受信データの周波数を設定情報に応じて遷移させる。
【００６９】
したがって、一の共通ＮＣＯ部２３０に入力された設定情報に応じて、一組の送信複素乗算部２１２の送信データの周波数と一組の受信複素乗算部８１２の受信データの周波数とをそれぞれ遷移させることができる。よって、各送信複素乗算部２１２および各受信複素乗算部８１２のそれぞれにＮＣＯを用いた場合に比べて、使用するＮＣＯの数を削減することができ、消費電力をより低減させることができる。また、各送信複素乗算部２１２および各受信複素乗算部８１２のそれぞれにＮＣＯを用いた場合に比べて、製造原価を削減したり、組立工数を削減したりして、コストを低減させることができる。
【００７０】
なお、第１の送信処理部２１０−１の共通ＮＣＯ部２３０のＮＣＯ部２３１に入力される周波数シフト設定値が示すａ［Ｈｚ］は、例えば、送信データの周波数帯および受信データの周波数帯のうちいずれか広い方の周波数帯の幅の半分の値以上の値であるとする。具体的には、例えば、送信データの周波数帯および受信データの周波数帯のうちいずれか広い方の周波数帯の幅が２×ａ［Ｈｚ］である場合に、周波数シフト設定値は、ａ以上の値であるとする。そのような構成によれば、各送信データの周波数遷移後の周波数帯のそれぞれおよび各受信データの周波数遷移後の周波数帯のそれぞれによる周波数帯の重複を防ぐことができる。
【００７１】
実施形態２．
次に、本発明の第２の実施形態の送受信回路について、図面を参照して説明する。図６は、本発明の第２の実施形態の送受信回路の構成例を示すブロック図である。
【００７２】
図１〜５を参照して説明した本発明の第１の実施形態の送受信回路では、一の共通ＮＣＯ部２３０が、第１〜第ｎの送信処理部２１０−１〜２１０−ｎのうち２つの送信処理部２１０および第１〜第ｎの受信処理部８１０−１〜８１０−ｎのうち２つの受信処理部８１０に発振信号をそれぞれ入力する。したがって、図１〜５を参照して説明した本発明の第１の実施形態の送受信回路では、一組をなす２つの送信処理部２１０および一組をなす２つの受信処理部８１０に、一の共通ＮＣＯ部２３０が用意される。
【００７３】
それに対して、本実施形態の送受信回路では、送信部２０２の第１〜第ｎの送信処理部２２０−１〜２２０−ｎが、それぞれ第１〜第ｎの共通ＮＣＯ部２３０−１〜２３０−ｎを含む。そして、第１〜第ｎの共通ＮＣＯ部２３０−１〜２３０−ｎは、それぞれ、入力された設定情報に応じた発振信号を第１〜第ｎの送信処理部２２０−１〜２２０−ｎおよび受信部８０２の第１〜第ｎの受信処理部８２０−１〜８２０−ｎに入力する。したがって、本実施形態の送受信回路では、互いに一対一に対応する送信処理部２１０および受信処理部８２０に、一の共通ＮＣＯ部２３０がそれぞれ用意される。
【００７４】
その他の構成は、図１に示す本発明の第１の実施形態の送受信回路における構成と同様なため、対応する要素には図１と同じ符号を付して説明を省略する。
【００７５】
図７は、第１の共通ＮＣＯ部２３０−１の構成例を示すブロック図である。図７に示すように、第１の共通ＮＣＯ部２３０−１は、ＮＣＯ部２３１−１および信号反転部２３２−１を含む。
【００７６】
ＮＣＯ部２３１−１には、周波数シフト設定値が入力される。本例では、ＮＣＯ部２３１−１には、周波数シフト設定値としてａ［Ｈｚ］を示す設定情報が入力される。すると、ＮＣＯ部２３１−１は、入力された設定情報に応じて、ｃｏｓ（２πａｔ）＋ｊｓｉｎ（２πａｔ）で表される発振信号を生成する。
【００７７】
ＮＣＯ部２３１−１は、生成した発振信号のうち、ｃｏｓ項の成分であるｃｏｓ（２πａｔ）を、送信複素乗算部２１２−１および受信複素乗算部８１２−１に入力する。また、ＮＣＯ部２３１−１は、生成した発振信号のうち、ｓｉｎ項の成分であるｓｉｎ（２πａｔ）を、送信複素乗算部２１２−１および信号反転部２３２−１に入力する。
【００７８】
信号反転部２３２−１には、発振信号のうち、ｓｉｎ項の成分であるｓｉｎ（２πａｔ）で表される正弦波信号が入力される。そして、信号反転部２３２−１は、入力された正弦波信号の正負を反転させ、−ｓｉｎ（２πａｔ）で表される正弦波信号を生成する。そして、信号反転部２３２−１は、生成した−ｓｉｎ（２πａｔ）で表される正弦波信号を、受信複素乗算部８１２−１に入力する。
【００７９】
図８は、第２の共通ＮＣＯ部２３０−２の構成例を示すブロック図である。図８に示すように、第２の共通ＮＣＯ部２３０−２は、ＮＣＯ部２３１−２および信号反転部２３２−２を含む。
【００８０】
ＮＣＯ部２３１−２には、周波数シフト設定値が入力される。本例では、ＮＣＯ部２３１−２には、周波数シフト設定値としてｂ［Ｈｚ］を示す設定情報が入力される。すると、ＮＣＯ部２３１−２は、入力された設定情報に応じて、ｃｏｓ（２πｂｔ）＋ｊｓｉｎ（２πｂｔ）で表される発振信号を生成する。
【００８１】
ＮＣＯ部２３１−２は、生成した発振信号のうち、ｃｏｓ項の成分であるｃｏｓ（２πｂｔ）を、送信複素乗算部２１２−２および受信複素乗算部８１２−２に入力する。また、ＮＣＯ部２３１−２は、生成した発振信号のうち、ｓｉｎ項の成分であるｓｉｎ（２πｂｔ）を、受信複素乗算部８１２−２および信号反転部２３２−２に入力する。
【００８２】
信号反転部２３２−２には、発振信号のうち、ｓｉｎ項の成分であるｓｉｎ（２πｂｔ）で表される正弦波信号が入力される。そして、信号反転部２３２−２は、入力された正弦波信号の正負を反転させ、−ｓｉｎ（２πｂｔ）で表される正弦波信号を生成する。そして、信号反転部２３２−２は、生成した−ｓｉｎ（２πｂｔ）で表される正弦波信号を、送信複素乗算部２１２−２に入力する。
【００８３】
図７および図８を参照して、第１の共通ＮＣＯ部２３０−１および第２の共通ＮＣＯ部２３０−２の構成について説明したが、第３〜第ｎの共通ＮＣＯ部２３０−３〜２３０−ｎの構成は、図７および図８にそれぞれ示す第１の共通ＮＣＯ部２３０−１および第２の共通ＮＣＯ部２３０−２における構成と同様なため、説明を省略する。
【００８４】
図９は、送信複素乗算部２１２−１，２１２−２および受信複素乗算部８１２−１，８１２−２の処理による周波数帯の変化を示す説明図である。
【００８５】
図９の上側には、例として、送信複素乗算部２１２−１，２１２−２の処理による送信データの周波数帯の変化がそれぞれ示されている。また、図９の下側には、例として、受信複素乗算部８１２−１，８１２−２の処理による受信データの周波数帯の変化が示されている。
【００８６】
送信複素乗算部２１２−１は、ＮＣＯ部２３１−１によって入力された、ｃｏｓ（２πａｔ）＋ｊｓｉｎ（２πａｔ）で表される複素正弦波信号と、送信帯域制限処理およびレート変換処理部２１１−１によって入力された送信データとを互いに乗算する。すると、送信帯域制限処理およびレート変換処理部２１１−１によって入力された送信データは、＋ａ［Ｈｚ］遷移する。したがって、第１のＣＣ（図９において、ＣＣ＃１と示す）は、中心周波数が零周波数から＋ａ［Ｈｚ］遷移した周波数帯に配置される。
【００８７】
また、ＮＣＯ部２３１−２と信号反転部２３２−２が送信複素乗算部２１２−２に入力した複素正弦波信号を示すｃｏｓ（２πｂｔ）−ｊｓｉｎ（２πｂｔ）＝ｃｏｓ（−２πｂｔ）＋ｊｓｉｎ（−２πｂｔ）である。
【００８８】
そして、送信複素乗算部２１２−２は、ＮＣＯ部２３１−２と信号反転部２３２−２によって入力された、ｃｏｓ（−２πａｔ）＋ｊｓｉｎ（−２πｂｔ）で表される複素正弦波信号と、送信帯域制限処理およびレート変換処理部２１１−２によって入力された送信データとを互いに乗算する。すると、送信帯域制限処理およびレート変換処理部２１１−２によって入力された送信データは、−ｂ［Ｈｚ］遷移する。したがって、第２のＣＣ（図９において、ＣＣ＃２と示す）は、中心周波数が零周波数から−ｂ［Ｈｚ］遷移した周波数帯に配置される。
【００８９】
したがって、図９の上側に示すように、第１の送信処理部２２０−１における送信データの周波数帯と第２の送信処理部２２０−２における送信データの周波数帯とは、零周波数を挟んで配置される。
【００９０】
また、図９の下側に示すように、第１の受信処理部８２０−１の受信複素乗算部８１２−１には、受信信号処理部７００から、＋ａ［Ｈｚ］遷移した形で受信対象の第１のＣＣの受信データが入力される。そして、第２の受信処理部８２０−２の受信複素乗算部８１２−２には、受信信号処理部７００から、−ｂ［Ｈｚ］遷移した形で受信対象の第２のＣＣの受信データが入力される。したがって、図９の下側に示すように、第１の受信処理部８２０−１が受信対象とする受信データの周波数帯と第２の受信処理部８２０−２が受信対象とする受信データの周波数帯とは、零周波数を挟んで配置される。
【００９１】
ここで、ＮＣＯ部２３１−１と信号反転部２３２−１が受信複素乗算部８１２−１に入力した複素正弦波信号を示すｃｏｓ（２πａｔ）−ｊｓｉｎ（２πａｔ）＝ｃｏｓ（−２πａｔ）＋ｓｉｎ（−２πａｔ）である。
【００９２】
そして、受信複素乗算部８１２−１は、ＮＣＯ部２３１−１と信号反転部２３２−１によって入力された、ｃｏｓ（−２πａｔ）＋ｊｓｉｎ（−２πａｔ）で表される複素正弦波信号と、受信信号処理部７００によって入力された受信データとを互いに乗算する。すると、受信信号処理部７００によって入力された受信データは、−ａ［Ｈｚ］遷移する。したがって、第１のＣＣは、受信時に、中心周波数が＋ａ［Ｈｚ］偏移した周波数帯から零周波数を中心周波数とする周波数帯に−ａ［Ｈｚ］遷移する。そして、受信複素乗算部８１２−１は、遷移後の受信データを受信レート変換処理およびレート変換処理部８１１−１に入力する。受信レート変換処理およびレート変換処理部８１１−１は、受信複素乗算部８１２−１によって受信対象のＣＣが零周波数を中心とした範囲に遷移された受信データに対してレート変換処理と帯域制限処理とを行い、ＣＰＲＩ対応処理部１００に入力する。
【００９３】
また、受信複素乗算部８１２−２は、ＮＣＯ部２３１−２によって入力された、ｃｏｓ（２πｂｔ）＋ｊｓｉｎ（２πｂｔ）で表される複素正弦波信号と、受信信号処理部７００によって入力された受信データとを互いに乗算する。すると、受信信号処理部７００によって入力された受信データは、＋ｂ［Ｈｚ］遷移する。したがって、第２のＣＣは、受信時に、中心周波数が−ｂ［Ｈｚ］偏移した周波数帯から零周波数を中心周波数とする周波数帯に＋ｂ［Ｈｚ］遷移する。そして、受信複素乗算部８１２−２は、遷移後の受信データを受信レート変換処理およびレート変換処理部８１１−２に入力する。受信レート変換処理およびレート変換処理部８１１−２は、受信複素乗算部８１２−２によって受信対象のＣＣが零周波数を中心とした範囲に遷移された受信データに対してレート変換処理と帯域制限処理とを行い、ＣＰＲＩ対応処理部１００に入力する。
【００９４】
なお、図９に示すように、互いに対応する送信処理部２２０と受信処理部８２０とは、データを遷移させる周波数の正負が互いに反転している。具体的には、送信処理部２２０−１の送信複素乗算部２１２−１が送信データを遷移させる周波数と、受信処理部８２０−１の受信複素乗算部８１２−１が受信データを遷移させる周波数とは、正負が互いに反転している。また、送信処理部２２０−２の送信複素乗算部２１２−２が送信データを遷移させる周波数と、受信処理部８２０−２の受信複素乗算部８１２−２が受信データを遷移させる周波数とは、正負が互いに反転している。
【００９５】
本実施形態によれば、第１〜第ｎの共通ＮＣＯ部２３０−１〜２３０−ｎが、入力された設定情報に応じて、送信データおよび受信データに乗算される発振信号を生成する。そして、送信複素乗算部２１２が、当該発振信号と送信データとを互いに乗算して、当該送信データの周波数帯を設定情報に応じて遷移させる。また、受信複素乗算部８１２が、当該発振信号と受信データとを互いに乗算して、当該受信データの周波数帯を設定情報に応じて遷移させる。
【００９６】
したがって、ｎ個の第１〜第ｎの共通ＮＣＯ部２３０−１〜２３０−ｎに入力された設定情報に応じて、送信データの周波数帯と受信データの周波数帯とをそれぞれ柔軟に遷移させることができる。よって、送信複素乗算部２１２および受信複素乗算部８１２のそれぞれにＮＣＯを用いた場合に比べて、消費電力を低減させることができる。また、送信複素乗算部２１２および受信複素乗算部８１２のそれぞれにＮＣＯを用いた場合に比べて、製造原価を削減したり、組立工数を削減したりして、コストを低減させることができる。
【００９７】
なお、以上に述べた各実施形態では、第１〜第ｎの送信処理部２１０−１〜２１０−ｎ，２２０−１〜２２０−ｎのうち、奇数番目の送信処理部２１０，２２０の送信複素乗算部２１２と、偶数番目の送信処理部２１０，２２０の送信複素乗算部２１２とが、互いに零周波数を挟んで配置されるように送信データの周波数帯を遷移させるように構成されている。そして、第１〜第ｎの受信処理部８１０−１〜８１０−ｎ，８２０−１〜８２０−ｎが、受信データの周波数帯を零周波数付近に配置されるように遷移されるように構成されている。
【００９８】
しかし、第１〜第ｎの送信処理部２１０−１〜２１０−ｎ，２２０−１〜２２０−ｎのうち、一の送信処理部２１０，２２０は、送信データの周波数帯を遷移させず、それに応じて一の受信処理部８１０，８２０も、受信データの周波数帯を遷移させなくてもよい。そして、その余の送信処理部２１０，２２０は、一の送信処理部２１０，２２０の送信データの周波数帯に応じて、送信データの周波数帯を遷移させ、それに応じて一の受信処理部８１０，８２０も、受信データの周波数帯を遷移させる。
【００９９】
図１０は、一の送信処理部２１０が、送信データの周波数帯を遷移させず、その余の送信処理部２１０が、送信データの周波数帯を遷移させる変形例を示す説明図である。
【０１００】
図１０の上側には、例として、送信処理部２１０−１〜２１０−３の処理による送信データの周波数帯の変化がそれぞれ示されている。また、図１０の下側には、例として、受信処理部８１０−１〜８１０−３の処理による受信データの周波数帯の変化が示されている。
【０１０１】
図１０に示す例では、送信処理部２１０−１は第１のＣＣの送信データの周波数帯を遷移させず、それに応じて受信処理部８１０−１も第１のＣＣの受信データの周波数帯を遷移させない。また、送信処理部２１０−２は第２のＣＣの送信データの周波数帯を−ｃ［Ｈｚ］遷移させ、それに応じて受信処理部８１０−２は第２のＣＣの受信データの周波数帯を＋ｃ［Ｈｚ］遷移させる。さらに、送信処理部２１０−３は第３のＣＣの送信データの周波数帯を＋ｃ［Ｈｚ］遷移させ、それに応じて受信処理部８１０−３は第３のＣＣの受信データの周波数帯を−ｃ［Ｈｚ］遷移させる。
【０１０２】
したがって、図１０の上側に示すように、第２の送信処理部２１０−２における第２のＣＣの送信データの周波数帯と第３の送信処理部２１０−３における第３のＣＣの送信データの周波数帯とは、第１の送信処理部２１０−１の処理対象の第１のＣＣの送信データを挟んで対称に配置される。
【０１０３】
また、図１０の下側に示すように、第２の受信処理部８１０−２の受信複素乗算部８１２−２には、受信信号処理部７００から、−ｃ［Ｈｚ］遷移した形で受信対象の第２のＣＣの受信データが入力される。そして、第３の受信処理部８１０−３の受信複素乗算部８１２−３には、受信信号処理部７００から、＋ｃ［Ｈｚ］遷移した形で受信対象の第３のＣＣの受信データが入力される。したがって、図１０の下側に示すように、第２の受信処理部８１０−２における第２のＣＣの受信データの周波数帯と第３の受信処理部８１０−３における第３のＣＣの受信データの周波数帯とは、第１の受信処理部８１０−１の処理対象の第１のＣＣの送信データと零周波数とを挟んで対称に配置される。
【０１０４】
なお、図１０に示すように、互いに対応する送信処理部２１０と受信処理部８１０とは、データを遷移させる周波数の正負が互いに反転している。具体的には、送信処理部２１０−２の送信複素乗算部２１２−２が送信データを遷移させる周波数と、受信処理部８１０−２の受信複素乗算部８１２−２が受信データを遷移させる周波数とは、正負が互いに反転している。また、送信処理部２１０−３の送信複素乗算部２１２−３が送信データを遷移させる周波数と、受信処理部８１０−３の受信複素乗算部８１２−３が受信データを遷移させる周波数とは、正負が互いに反転している。
【０１０５】
そのような変形例によっても、第１の実施形態における効果と同様な効果を奏することができる。
【０１０６】
実施形態３．
次に、本発明の第３の実施形態の送受信用回路９０について、図面を参照して説明する。図１１は、本発明の第３の実施形態の送受信用回路９０の構成例を示すブロック図である。
【０１０７】
図１１に示すように、本発明の第３の実施形態の送受信用回路９０は、発振信号生成部２３と、複数の送信用乗算部２１−１〜２１−ｎと、複数の受信用乗算部８１−１〜８１−ｎとを含む。
【０１０８】
なお、発振信号生成部２３は、例えば、図２や図６に示す共通ＮＣＯ部２３０，２３０−１〜２３０−ｎに相当する。複数の送信用乗算部２１−１〜２１−ｎは、例えば、図１や図６に示す第１〜第ｎの送信処理部２１０−１〜２１０−ｎ，２２０−１〜２２０−ｎに相当する。また、複数の受信用乗算部８１−１〜８１−ｎは、図１や図６に示す第１〜第ｎの受信処理部８１０−１〜８１０−ｎ，８２０−１〜８２０−ｎに相当する。
【０１０９】
発振信号生成部２３は、発振信号を生成する。
【０１１０】
複数の送信用乗算部２１−１〜２１−ｎは、発振信号生成部２３が生成した発振信号と入力された送信データとを互いに乗算して、送信データの周波数帯を所定の送信用周波数帯に遷移させる。
【０１１１】
複数の受信用乗算部８１−１〜８１−ｎは、発振信号生成部２３が生成した発振信号と入力された受信データとを互いに乗算して、受信データの周波数帯を所定の処理用周波数帯に遷移させる。
【０１１２】
そして、複数の送信用乗算部２１−１〜２１−ｎのそれぞれと、複数の受信用乗算部８１−１〜８１−ｎのそれぞれとは、互いに一対一に対応する。また、複数の送信用乗算部２１−１〜２１−ｎのそれぞれは、他の一の複数の送信用乗算部２１−１〜２１−ｎと一組をなす。そして、複数の受信用乗算部８１−１〜８１−ｎのそれぞれは、他の一の複数の受信用乗算部８１−１〜８１−ｎと一組をなす。
【０１１３】
また、発振信号生成部２３は、一の送信用乗算部２１−１〜２１−ｎと、一の送信用乗算部２１−１〜２１−ｎに対応する受信用乗算部８１−１〜８１−ｎと、一の送信用乗算部２１−１〜２１−ｎと一組をなす他の一の送信用乗算部２１−１〜２１−ｎと、他の一の送信用乗算部２１−１〜２１−ｎに対応する他の一の受信用乗算部８１−１〜８１−ｎとに、互いに正負が反転した発振信号をそれぞれ供給する。
【０１１４】
そのような構成によれば、各送信用乗算部２１−１〜２１−ｎおよび各受信用乗算部８１−１〜８１−ｎのそれぞれに発振信号生成部を用意する場合に比べて、より少ない消費電力で、広帯域伝送を実現することができる。
【０１１５】
なお、各図面中の矢印の向きは、一例を示すものであり、ブロック間の信号の向きを限定するものではない。
【符号の説明】
【０１１６】
２３    発振信号生成部
２１    送信用乗算部
８１    受信用乗算部
９０    送受信用回路
１００    ＣＰＲＩ対応処理部
２００、２０２    送信部
２１０、２２０    送信処理部
２１１    送信帯域制限処理およびレート変換処理部
２１２    送信複素乗算部
２３０    共通ＮＣＯ部
２３１    ＮＣＯ部
２３２    信号反転部
３００    キャリア合成部
４００    送信信号処理部
５０１    ダイレクトコンバージョン送信部
６０１    ダイレクトコンバージョン受信部
７００    受信信号処理部
８００、８０２    受信部
８１０、８２０    受信処理部
８１１    受信レート変換処理および帯域制限処理部
８１２    受信複素乗算部
【図１】
0006638333.tif 000002
【図２】
0006638333.tif 000003
【図３】
0006638333.tif 000004
【図４】
0006638333.tif 000005
【図５】
0006638333.tif 000006
【図６】
0006638333.tif 000007
【図７】
0006638333.tif 000008
【図８】
0006638333.tif 000009
【図９】
0006638333.tif 000010
【図１０】
0006638333.tif 000011
【図１１】
0006638333.tif 000012